(57)【特許請求の範囲】
【請求項１】
合成樹脂により一体に成形され電磁コイルを備えたステータと、該ステータの外周に形成された合成樹脂製ステータケースと、前記ステータに装着されたブラケットと、内部にロータ、ニードル弁等が内蔵されたロータケースとを備えた電動弁において、前記ステータケースには前記ブラケットを装着するための突起と前記ステータの導電部と該導電部を露出する切欠き部とを備え、前記ブラケットは導電性ブラケットであり、該ブラケットには前記ロータケースと係合するための係合突起と前記切欠き部に嵌入し該切欠き部に露出した前記導電部に接続する導通部とを備えたことを特徴とする電動弁における電磁コイル。
【請求項２】
合成樹脂により一体に成形され電磁コイルを備えたステータと、該ステータの外周に形成された合成樹脂製ステータケースと、前記ステータに装着されたブラケットと、内部にロータ、ニードル弁等が内蔵されたロータケースとを備えた電動弁において、前記ステータケースには前記ブラケットを装着するための突起と導電部とを備え、前記ブラケットは導電性ブラケットであり、該ブラケットには係合部を備えるとともに、前記ブラケットの係合部を挾持する挾持部と前記ステータの導電部に当接するステータ当接部とを備えた導電性部材とを設けたことを特徴とする電動弁における電磁コイル。
【発明の詳細な説明】
【０００１】
【発明の属する技術分野】
本発明は、特に冷凍機に使用される電動弁において、電磁コイルと弁本体間の電気的接続を確実に行うことができるようにした電動弁における電磁コイルに関する。
【０００２】
【従来の技術】
図１１、図１２に示すように、例えば電動弁４１は、バルブ部４２とモータ部４３とからなり、モータ部４３はコイル４４を内蔵し中央部に貫通孔４５を備えたステータ４６と、ロータ（図示せず）を内蔵し下方にフランジ４７を、上方に凹部４８を備えたロータケース４９が設けられている。
【０００３】
ステータ４６の外周全体は金属製コイルケース５０により覆われており、更にコイルケース５０を合成樹脂の射出成形によりモールドされてステータケース５１が一体成形されている。ステータケース５１の上面には、スリット５２を有する突起片５３とストッパ５４とが設けられている。
【０００４】
ステータケース５１の上面に載置されるブラケット５５には、中央部に開口５６を備え、開口縁に切り起し片５７，５８，５８が設けられ、また、一側縁にはストッパ５４と係合する係合溝５９を備えている。
【０００５】
上記電動弁４１の組立てに際しては、ステータケース５１の上面に沿ってその側方からブラケット５５を最初上面の突起片５３のスリット５２に挿入しつつ移動させ、最終的にブラケット５５の係合溝５９がストッパ５４と係合し当接するまで摺動させる。
【０００６】
次いで、ステータケース５１の中央に開設した貫通孔４５及び上記のように組み立てたブラケット５５の開口５６にその下方からロータケース４９の下方のフランジ４７にステータケース５１の貫通孔４５の外周に当接するまで、ロータケース４９の頭部から挿入し、ブラケット５５の突起片５７をロータケース４９の凹部４８に係合させる。
【０００７】
【発明が解決しようとする課題】
上記構成からなる電動弁を、冷凍機器の冷媒回路における冷媒制御用の弁として使用する際には、冷たい冷媒によりロータケース４９とステータケース５１との間にわずかな間隙に結露を生じるため、組立て時に電気的に導通していたロータケース４９とステータケース５１とは、錆、汚れまたは成形材料がステータ表面に薄く付着することによって不導通になることがある。電気的に不導通になった上記構成の電動弁では、ロータケース４９とステータケース５１とがスパーク等によって高周波の電磁波が発生することがあり、該電動弁の近くに制御機器が設置されていると、制御機器の内部に設けたマイクロコンピュータまたは電子回路に対して悪影響を与え、制御機器の誤作動の原因になる。また、電磁弁においてもモールドされた金属コイルケースと、固定鉄芯で全く同じ例があり、解決を迫られていた。
【０００８】
したがって、本発明は、簡単な手段により、ステータの金属部分とロータの金属ケースとを電気的に確実に導通させることができ、外部に高周波を発生することがないようにした電動弁を提供することを目的とする。
【０００９】
【課題を解決するための手段】
本発明は、上記課題を解決するため、合成樹脂により一体に成形され電磁コイルを備えたステータと、該ステータの外周に形成された合成樹脂製ステータケースと、前記ステータに装着されたブラケットと、内部にロータ、ニードル弁等が内蔵されたロータケースとを備えた電動弁において、前記ステータケースには前記ブラケットを装着するための突起と前記ステータの導電部と該導電部を露出する切欠き部とを備え、前記ブラケットは導電性ブラケットであり、該ブラケットには前記ロータケースと係合するための係合突起と前記切欠き部に嵌入し該切欠き部に露出した前記導電部に接続する導通部とを備えた電動弁における電磁コイル、及び合成樹脂により一体に成形され電磁コイルを備えたステータと、該ステータの外周に形成された合成樹脂製ステータケースと、前記ステータに装着されたブラケットと、内部にロータ、ニードル弁等が内蔵されたロータケースとを備えた電動弁において、前記ステータケースには前記ブラケットを装着するための突起と導電部とを備え、前記ブラケットは導電性ブラケットであり、該ブラケットには係合部を備えるとともに、前記ブラケットの係合部を挾持する挾持部と前記ステータの導電部に当接するステータ当接部とを備えた導電性部材とを設けた電動弁における電磁コイルに構成したものである。
【００１０】
本発明は、具体的にはステータケースを射出成形により合成樹脂モールドする際に、ステータケースの金属部が、後にロータケースと確実に当接するようにステータケースの成形金型を設計すること、また更にブラケットを介してロータケースとステータケースを当接するようにブラケットを改良すること、またブラケットに導通用金属部品を設けること、更にステータケースの貫通孔に導電性物質を塗布すること、等がなされる。
【００１１】
本発明は、上記のように構成したので、電磁コイルを内装するステータの導電部分と、該電磁コイルにより作動する作動子を覆う導電性ケースとの間に導電手段が形成され、両者は常時確実に電気的接続が確保されるので、両者間で高周波を発生することがなくなり、この近辺に設けた制御機器に対して誤動作信号を発生することがない。
【００１２】
【発明の実施の形態】
本発明の実施例を図面に沿って説明する。図１乃至図５は、本発明を電動弁に用いた実施例を示し、電動弁１は、内部にコイル２を備えたステータＳの導電部３はモールド樹脂により一体的に成形されており、外周には合成樹脂によるステータケース４が形成されている。このステータケース４はステータＳの内周面５を除く部分に形成されており、かつ、リード線６の接続部７も一体的に形成している。ステータケース４の上面８には図中３個の突起９が設けられ、そのうち対向する２個の突起９１と９２には、上面８に沿って、後述するブラケット１０を挿入するスリット１１が形成されている。また、ステータケース４の上面８の一部には切り欠き部１２が形成されており、この切り欠き部１２によりステータの導電部３の上面の一部が外部に露出している。
【００１３】
ステータケース４の上面８には、図３及び図４に示すようなブラケット１０が装着されるが、このブラケット１０は、両側部に平行な側縁部１３を有し、他の対向する略円弧状の側縁部の一つには係合溝１４を有し、他の円弧状側縁部には下方にＬ字状に突出する導通部１５を有している。ブラケットの中央には貫通孔１９を形成しており、この貫通孔１９の周縁には３個の突起１６が形成され、そのうちの２つは電動弁の組立時にこの貫通孔１９を貫通するロータケース１７と圧接し、他の１つは前記突起１６より大きく、かつ先端内方にロータケース１７外周の凹部に係合する係合突起１８が形成されている。
【００１４】
ロータケース１７は導電性の金属製であり、内部にロータ、ニードル弁等を内蔵し、下部に弁本体２０が固定されて一体化されている。ロータケース１７の下方には、弁本体２０との連結部にフランジ２１を有しており、上部外周には前記ブラケット１０の係合突起１８と係合する凹溝２２を有している。
【００１５】
上記のような各部材からなる電動弁の組立に際しては、ステータケース４の上面８に沿って、その側方からブラケット１０を、最初上面の突起９１，９２のスリット１１に挿入しつつ移動させ、最終的にブラケット１０の係合溝１４が突起９に係合し当接するまで移動させる。このとき、ブラケット１０の一側部に形成した導通部１５は、ステータケース４の上面８の一部に形成した切り欠き１２に貫入し、かつこの部分に露出したステータＳの導電部分３と接触し、電気的に接続される。
【００１６】
次いで、ステータケース４の中央に開設した貫通孔２３及び上記のように組み立てたブラケット１０の貫通孔１９にその下方から、ロータケース１７の下方のフランジ２１がステータケース４の貫通孔２３の外周に当接するまで、ロータケース１７の頭部から挿入する。それによりロータケース上部外周の凹溝２２にはブラケット１０の係合突起１８が係合し、貫通孔１９の内周に形成した突起１６とともに、ロータケース１７を挟持し、ロータケース１７とステータケース４とを一体化するとともに、導電性のブラケット１０と導電製のロータケース１７とを電気的に接続する。それにより、先にステータＳの導電部分３と電気的に連通したブラケット１０は、ロータケース１７とも導電的に連結される。上記のように電動弁が組み立てられることにより、ステータの導電部３と導電性のロータケース１７とは、導電性のブラケット１０により電気的に確実に結合される。
【００１７】
本発明の他の実施例を図６乃至図８に沿って説明する。この実施例においては前記実施例とは異なり、前記実施例におけるステータケースの上面８の切り欠き１２を設けることなく、ブラケット１０の係合部１４に対して図７及び図８に示す導電性部材２５を用いる。この導電性部材２５は平板部２６から下方に折曲したステータ当接部２７を備え、平板部２６から上方に折曲した挟持部２８から構成される。
【００１８】
この導電性部材２５は、電動弁の組立に際してステータケース４の上面８にブラケット１０を取り付ける際、ブラケット１０の係合部１４が突起９に当接する前に突起９の前面に導電性部材２５を当て、ブラケット１０の係合部１４を挟持部２８に貫入し、ブラケット１０の係合部を突起９に当接させる。このとき、導電性部材２５のステータ当接部２７が、ステータの導電部３の内周側上面部に当接し、それにより、ステータの導電部３は導電部材２５、ブラケット１０を介し、ブラケット１０の係合突起により導電性のロータケース１７に電気的に結合する。それにより上記実施例と同様に、ステータの導電部分と導電性のロータケースとは電気的に確実に結合される。
【００１９】
本発明の更に他の実施例を図９に示す。この実施例においては、ステータＳの導電部３の下端内周の一部に下方に突出する折り曲げ部３０を形成しており、この折り曲げ部３０はステータケース４内にロータケース１７を前記のように貫入するとき、ロータケース１７の下方のフランジ２１と当接させる。それにより、上記実施例と同様に、また、直接的に、ステータＳの導電部分と導電性のロータケース１７とは電気的に確実に結合される。
【００２０】
本発明の更に他の実施例を図１０に示す。この実施例においては、ステータＳの導電部３の下端内周の露出部分に当接するとともに、ステータケース４の下方のフランジ２１に当接する、導電性ゴムや導電性スポンジ等の導電性弾性部材３１を介在させている。また、ステータＳの導電部３の内周面とロータケース１７の外周面の対向間隙に導電性グリース３２を塗っている。上記実施例においては導電性弾性部材３１と導電性グリース３２の両方を用いた実施例を示したが、いずれか一方のみを用いても良い。それにより、上記実施例と同様に、ステータＳの導電部分と導電性のロータケースとは電気的に確実に結合される。
【００２１】
【発明の効果】
本発明は上記のように構成したので、電磁コイルを内装するステータの導電部分と、該電磁コイルにより作動する作動子を覆う導電性ケースとの間に導電手段が形成され、両者は常時確実に電気的接続が確保されるので、両者間で高周波を発生することがなくなり、この近辺に設けた制御機器に対して誤動作信号を発生することがない。なお、電磁弁においても、同様な手段でモールドされた金属ケースと固定鉄芯、またはプランジャチューブを導通することができる。
【図面の簡単な説明】
【図１】本発明の実施例の一部断面図である。
【図２】同平面図である。
【図３】同実施例に用いるブラケットの平面図である。
【図４】同断面図である。
【図５】同実施例に用いるステータケース部分の平面図である。
【図６】本発明の他の実施例の断面図である。
【図７】同実施例に用いる導電性部材の断面図である。
【図８】同平面図である。
【図９】本発明の更に他の実施例の一部断面図である。
【図１０】本発明の更に他の実施例の一部断面図である。
【図１１】従来例の断面図である。
【図１２】従来例の平面図である。
【符号の説明】
１  電動弁
２  コイル
３  ステータの導電部
４  ステータケース
５  内周面
６  リード線
７  接続部
８  上面
９  突起
１０  ブラケット
１１  スリット
１２  切り欠き部
１３  側縁部
１４  係合溝
１５  導通部
１６  貫通孔
１７  ロータケース
１８  係合突起
１９  貫通孔
２０  弁本体
２１  フランジ
２２  凹溝
３０  折り曲げ部
３１  導電性弾性部材
３２  導電性グリース
【図１】
0003780348.tif 000002
【図２】
0003780348.tif 000003
【図３】
0003780348.tif 000004
【図４】
0003780348.tif 000005
【図５】
0003780348.tif 000006
【図６】
0003780348.tif 000007
【図７】
0003780348.tif 000008
【図８】
0003780348.tif 000009
【図９】
0003780348.tif 000010
【図１０】
0003780348.tif 000011
【図１１】
0003780348.tif 000012
【図１２】
0003780348.tif 000013